(57)【特許請求の範囲】
【請求項１】
障子を施錠するクレセント錠と、クレセント受けとを備え、クレセント受けは、クレセント錠のカマと係合する受け部と、カマが挿入される孔を有し、カマが摺接する受け部の見込面と見付面に連続して樹脂部が設けてあり、樹脂部は、受け部の基端部より先端側に設けてあるとともに、孔の縁部室内側に係止する室内側係止部と孔の縁部室外側に係止する室外側係止部を有し、受け部の先端側から基端側に向けてスライドして孔の内周に位置させ、室内側係止部と室外側係止部を孔の内周に係止して取付けてあることを特徴とする建具。
【請求項２】
障子を施錠するクレセント錠と、クレセント受けとを備え、クレセント受けは、クレセント錠のカマと係合する受け部を有し、カマが摺接する受け部の見込面と見付面と小口面とに連続して樹脂部が設けてあり、樹脂部は、受け部の基端部側の縁部に設けた切り欠きに係止する係止部を有し、受け部の先端側から基端側に向けてスライドして、受け部の見付面とその対向面間に嵌合するとともに、受け部の基端側の縁部に係止して取付けてあることを特徴とする建具。
【発明の詳細な説明】
【技術分野】
【０００１】
本発明は、クレセント錠とクレセント受けとを備える建具に関する。
【背景技術】
【０００２】
引違いサッシ等の建具の障子は、クレセント錠のカマを回動操作してクレセント受けと係合させることで施錠している。クレセント錠のカマとクレセント受けは、ステンレス等の金属で形成されているため、施錠する際に金属同士が擦れる不快なガリ音が生ずることがあり、これを防止するために従来は、クレセント受けのカマの縁端面とかみ合う部分に樹脂部品を取付けている（例えば、特許文献１参照。）。
このような従来のクレセント受けにおいては、樹脂部品の取付けがしづらい、樹脂部品が外れやすい、といった不都合があった。
【先行技術文献】
【特許文献】
【０００３】
【特許文献１】実開昭６０−１４８４６３号公報
【発明の概要】
【発明が解決しようとする課題】
【０００４】
本発明は以上に述べた実情に鑑み、クレセント受けの樹脂部の取付け性が良好で、且つ樹脂部が外れにくい建具の提供を目的とする。
【課題を解決するための手段】
【０００５】
上記の課題を達成するために請求項１記載の発明による建具は、障子を施錠するクレセント錠と、クレセント受けとを備え、クレセント受けは、クレセント錠のカマと係合する受け部と、カマが挿入される孔を有し、カマが摺接する受け部の見込面と見付面に連続して樹脂部が設けてあり、樹脂部は、受け部の基端部より先端側に設けてあるとともに、孔の縁部室内側に係止する室内側係止部と孔の縁部室外側に係止する室外側係止部を有し、受け部の先端側から基端側に向けてスライドして孔の内周に位置させ、室内側係止部と室外側係止部を孔の内周に係止して取付けてあることを特徴とする。
【０００６】
請求項２記載の発明による建具は、障子を施錠するクレセント錠と、クレセント受けとを備え、クレセント受けは、クレセント錠のカマと係合する受け部を有し、カマが摺接する受け部の見込面と見付面と小口面とに連続して樹脂部が設けてあり、樹脂部は、受け部の基端部側の縁部に設けた切り欠きに係止する係止部を有し、受け部の先端側から基端側に向けてスライドして、受け部の見付面とその対向面間に嵌合するとともに、受け部の基端側の縁部に係止して取付けてあることを特徴とする。
【０００７】
本発明による建具は、障子を施錠するクレセント錠と、クレセント受けとを備え、クレセント受けは、金属部と樹脂部を有し、金属部は、クレセント錠のカマと係合する受け部と、カマが挿入される孔を有し、樹脂部は、金属部の孔の内周に保持してあり、カマが摺接する受け部の見込面と見付面を連続して覆うカバー部を有するものとすることができる。
【０００８】
本発明による建具は、障子を施錠するクレセント錠と、クレセント受けとを備え、クレセント受けは、金属部と樹脂部を有し、金属部は、クレセント錠のカマと係合する受け部と、カマが挿入される孔を有し、樹脂部は、金属部の孔の内周を連続して覆うように孔の内周に嵌め込んであり、カマが摺接する受け部の見込面と見付面を連続して覆うカバー部を有するものとすることができる。
【発明の効果】
【０００９】
請求項１記載の発明による建具は、クレセント受けに樹脂部が、カマと係合する受け部の基端部より先端側に設けてあって、カマが挿入される孔の縁部室内側に係止する室内側係止部と孔の縁部室外側に係止する室外側係止部を有し、樹脂部を受け部の先端側から基端側に向けてスライドして、クレセント受けのカマが挿入される孔の内周に位置させ、室内側係止部と室外側係止部を孔の内周に係止して取付けることで、樹脂部の取付け性が良好で、且つ樹脂部が外れにくい。樹脂部は、カマが摺接する受け部の見込面と見付面に連続して設けてあることで、クレセント錠の施解錠時のガリ音の発生を確実に防止できる。
【００１０】
請求項２記載の発明による建具は、クレセント受けに樹脂部が設けてあり、樹脂部は、カマと係合する受け部の基端部側の縁部に設けた切り欠きに係止する係止部を有し、樹脂部を受け部の先端側から基端側に向けてスライドして、受け部の見付面とその対向面間に嵌合するとともに、受け部の基端側の縁部に係止して取付けることで、樹脂部の取付け性が良好で、且つ樹脂部が外れにくい。樹脂部は、カマが摺接する受け部の見込面と見付面と小口面とに連続して設けてあることで、クレセント錠の施解錠時のガリ音の発生を確実に防止できる。
【００１１】
クレセント受けの金属部にカマが挿入される孔を有し、樹脂部を金属部の孔の内周に保持したものであれば、樹脂部の取付け性が良好で、且つ樹脂部が外れにくい。
さらに、樹脂部が金属部の孔の内周を連続して覆うように孔の内周に嵌め込んだものであれば、樹脂部の取付け性が良好であると共に、樹脂部のがたつきや脱落を確実に防止することができ、さらに、樹脂部の強度を高めることができる。
【図面の簡単な説明】
【００１２】
【図１】本発明の第１実施形態に係る建具の召合せ部の横断面図である。
【図２】第１実施形態の建具のクレセント受けの斜視図である。
【図３】（ａ）は同クレセント受けの室内側正面図、（ｂ）は同クレセント受けの平面図、（ｃ）は同クレセント受けの側面図、（ｄ）は同クレセント受けの室外側正面図である。
【図４】同クレセント受けの樹脂部を金属部と分離した状態で示す斜視図である。
【図５】同クレセント受けの樹脂部の取付け方を示す横断面図である。
【図６】第１実施形態のクレセント受けの変形例を示す室内側正面図である。
【図７】クレセント受けの第２実施形態を示す図であって、（ａ）は室内側正面図、（ｂ）は平面図、（ｃ）は側面図、（ｄ）はＡ−Ａ断面図である。
【図８】第２実施形態のクレセント受けの樹脂部の取付け方を示す横断面図である。
【発明を実施するための形態】
【００１３】
以下、本発明の実施の形態を図面に基づいて説明する。図１〜５は、本発明の建具の第１実施形態を示している。本建具は、図１に示すように、上枠と下枠と左右の縦枠を枠組みしたサッシ枠（図示省略）内に、外障子１と内障子２を引違い状に開閉自在に収めた、いわゆる引違いサッシである。本建具は、内障子２の召合せ框１３にクレセント錠３が設けてあり、外障子１の召合せ框１４にクレセント受け４が設けてあり、クレセント錠３のカマ５を回動操作してクレセント受け４と係合することで、内外障子１，２を施錠するものである。本建具は、クレセント受け４が新規の構造となっており、以下、クレセント受け４の構造について説明する。なお、クレセント錠３は、従来と同じものである。
【００１４】
クレセント受け４は、図１〜３に示すように、金属部１１と樹脂部１０とからなる。金属部１１は、ステンレスの板をプレス加工して形成したものであり、外障子１の召合せ框１４内部に挿入してネジ１５で固定される固定部１６と、外障子１の召合せ框１４より外障子１内周側に突出し、ガラス１７と対峙するように配置される矩形の板状部１８を有している。板状部１８には、クレセント錠３のカマ５が挿入される孔１２が略矩形状に形成されており、孔１２の室内側から見て左側の縁部より連続してカマ５と係合させるための受け部６が設けてある。受け部６は、図１に示すように、室内側に向かってのびる見込み部１９と、見込み部１９の室内側端部より孔１２側に突出する見付部２０とを有している。見込み部１９は、図３（ａ）に示すように、室内側から見て右側に膨らむように円弧状に湾曲しており、見付部２０は、図３（ｃ）に示すように、室外側に膨らむように円弧状に湾曲している。また見付部２０は、図３（ａ）に示すように、先端側に向かうにつれて上下寸法が小さくなるように、上下の縁が斜めに形成され、先端のコーナー部はＲ状に面取りしてある。
【００１５】
クレセント受け４の樹脂部１０は、合成樹脂を金型で射出成型して形成したものであり、図１〜４に示すように、受け部６の基端部３４より先端側に設けてあって、金属部１１の孔１２の内周に嵌め込んで保持されている。樹脂部１０は、機械的強度、耐摩耗性、潤滑性等に優れた樹脂、具体的にはＰＡ６６（６６ナイロン）を使用している。
樹脂部１０は、より詳細には金属部１１の孔１２の内周側に嵌め込まれる略矩形のリング部２１と、孔１２の上下縁部室内側に係止する室内側上下係止部２２，２２と、孔１２の室外側から見て右側の上下のコーナー部の室外側に係止する室外側コーナー係止部２３，２３と、孔１２の室外側から見て左側の縦縁部室外側に係止する室外側縦係止部２４を有している。このように樹脂部１０は、リング部２１が金属部１１の孔１２の内周に連続して嵌め込まれ、各係止部２２，２３，２４が孔１２の周囲に係止することで、上下方向や左右方向、見込み方向にがたつきなく取付けられ、脱落しないようになっている。
【００１６】
さらに樹脂部１０は、図１，４に示すように、金属部１１のカマ５が摺接する受け部６の見込面７と見付面８と小口面９とを連続して覆うカバー部２５を有している。カバー部２５は、見込面カバー部２６と、見付面カバー部２７と、小口面カバー部２８とからなる。クレセント錠３は、カマ５の側端面２９が受け部６の見込面７と摺接することで、内外障子１，２をそれぞれ戸先側に押し付ける引き分け作用と、カマ５の周壁３０が受け部６の見付面８と摺接することで、内外障子１，２の召合せ框１３，１４を互いに引き寄せる引寄せ作用とがあるが、本建具は図１に示すように、カマ５の側端面２９と受け部６の見込面７との間に樹脂部１０の見込面カバー部２６が介在し、カマ５の周壁３０と受け部６の見付面８との間に見付面カバー部２７が介在するため、引き分けと引寄せの両作用に伴うカマ５と受け部６との見付方向（左右方向）と見込方向の２方向の摺接に対して、ガリ音の発生を防止することができる。
さらに樹脂部１０は、受け部６の小口面９を覆う小口面カバー部２８を連続して有していることで、カマ５が受け部６に掛かり始める際に、カマ５が受け部６の先端の小口面９ａや上側の小口面９ｂと擦れてガリ音が生じたり、カマ５が受け部６とカバー部２５との隙間に入り込もうとしてカバー部２５が破損したりすることを防止できる。また、小口面カバー部２８を有することで、樹脂部１０ががたついたり外れたりするのを防ぐ効果がある。
【００１７】
樹脂部１０の金属部１１への取付け方を説明すると、まず図５（ａ）に示すように、樹脂部１０のカバー部２５側を室内側から金属部１１の孔１２内に挿入し、受け部６の先端側から基端側に向けてスライドさせて、樹脂部１０のカバー部２５側を先に金属部１１と係合させる。その後、図５（ｂ）に示すように、樹脂部１０のカバー部２５と反対側の縦辺部３１を孔１２の内周側に押すようにして、室外側縦係止部２４を孔１２に通す。すると、図５（ｃ）に示すように、室外側縦係止部２４が孔１２の室外側に係止し、樹脂部１０が金属部１１の孔１２に保持される。
【００１８】
以上に述べたように本建具は、クレセント受け４に樹脂部１０が、カマ５と係合する受け部６の基端部３４より先端側に設けてあって、受け部６の先端側から基端側に向けてスライドして取付けることで、樹脂部１０の取付け性が良好で、且つ樹脂部１０が外れにくい。樹脂部１０は、カマ５が摺接する受け部６の見込面７と見付面８に連続して設けてあることで、クレセント錠３の施解錠時のガリ音の発生を確実に防止できる。
また本建具は、クレセント受け４に樹脂部１０が、カマ５が摺接する受け部６の見込面７と見付面８と小口面９に連続して設けてあることで、樹脂部１０の取付け性が良好で、且つ樹脂部１０が外れにくい。樹脂部１０は、カマ５が摺接する受け部６の見込面７と見付面８に加え、小口面９にも連続して設けてあるので、ガリ音の発生をより一層確実に防止できる。
さらに本建具は、クレセント受け４の金属部１１にカマ５が挿入される孔１２を有し、孔１２の内周に保持する形で樹脂部１０を設けたので、樹脂部１０の取付けが一層容易となり、且つ樹脂部１０が外れにくい。クレセント受け４にカマ５が挿入される孔１２を設けたことで、建具の見込み寸法を抑制することができる。
さらに本建具は、樹脂部１０がリング状に形成され、当該樹脂部１０を金属部１１の孔１２の内周を連続して覆うように孔１２の内周に嵌め込んだので、途切れた部分があるものと比べて樹脂部１０の強度が向上すると共に、金属部１１の孔１２に樹脂部１０をより安定して取付けることができる。
【００１９】
クレセント受け４の樹脂部１０は、必ずしも金属部１１の孔１２の内周全周に保持されている必要はなく、孔１２の内周の一部に保持されているもの、例えば図６に示すようなコ字型のものや、Ｃ字型のものであってもよい。また、受け部６の小口面９を覆う小口面カバー部２８は、全部または一部を省略することもできるが、樹脂部１０の取付けの容易さと樹脂部１０の外れ難さを担保し、またガリ音の発生を防止する観点から、受け部６のカマ受け入れ側（上側）の小口面９ｂと、受け部６の先端の小口面９ａは、カバーされていることが好ましい。
【００２０】
図７，８は、本発明に係る建具の第２実施形態であって、クレセント受け４をカマ５が挿入される孔１２を有しないものとした場合を示している。クレセント受け４は、金属部１１と樹脂部１０とからなり、金属部１１の先端部をフック状に折り曲げてカマ５と係合する受け部６が設けてある。樹脂部１０は、金属部１１の受け部６の基端部３４より先端側に設けてあり、カマ５が摺接する受け部６の見込面７と見付面８と小口面９を連続して覆うカバー部２５を有している。また樹脂部１０は、受け部６の基端側の上下２箇所に形成された金属部１１の切り欠き３２，３２に係止する係止部３３，３３を有している。
樹脂部１０の金属部１１への取付けは、図８（ａ）に示すように、受け部６の先端側から基端側に向けてスライドさせて取付ける。樹脂部１０を受け部６の基端部３４までスライドさせると、図８（ｂ）に示すように、樹脂部１０の係止部３３が金属部１１の切り欠き３２に係止して、樹脂部１０が外れないように保持される。
【００２１】
以上に説明したように、第２実施形態も第１実施形態と同様に、クレセント受け４に樹脂部１０が、カマ５と係合する受け部６の基端部３４より先端側に設けてあって、受け部６の先端側から基端側に向けてスライドして取付けることで、樹脂部１０の取付け性が良好で、且つ樹脂部１０が外れにくい。また樹脂部１０は、カマ５が摺接する受け部６の見込面７と見付面８に連続して設けてあることで、クレセント錠３の施解錠時のガリ音の発生を確実に防止できる。
また、クレセント受け４に樹脂部１０が、カマ５が摺接する受け部６の見込面７と見付面８と小口面９に連続して設けてあることで、樹脂部１０の取付け性が良好で、且つ樹脂部１０が外れにくい。樹脂部１０は、カマ５が摺接する受け部６の見込面７と見付面８に加え、小口面９にも連続して設けてあるので、ガリ音の発生をより一層確実に防止できる。
【００２２】
本発明は以上に述べた実施形態に限定されない。クレセント受けの金属部と樹脂部の形状、材質等は、適宜変更することができる。第１実施形態のクレセント受けの樹脂部は、室内側から取付ける形になっているが、室外側から取付ける形にもできる。本発明は、障子が２枚の引違いサッシに限らず、障子を３枚ないし４枚収めたものや、内外障子のうちの一方の障子のみが摺動する片引きサッシ、障子が１枚のみで戸袋を備えるもの等にも適用することができる。クレセント錠は、建具の形態に応じて、方立や縦枠に取付けられる場合がある。本発明は、障子が上下に摺動する上げ下げ窓に適用することもできる。
【符号の説明】
【００２３】
１  外障子（障子）
２  内障子（障子）
３  クレセント錠
４  クレセント受け
５  カマ
６  受け部
７  受け部の見込面
８  受け部の見付面
９  受け部の小口面
１０  樹脂部
３４  受け部の基端部
【図１】
0006709594.tif 000002
【図２】
0006709594.tif 000003
【図３】
0006709594.tif 000004
【図４】
0006709594.tif 000005
【図５】
0006709594.tif 000006
【図６】
0006709594.tif 000007
【図７】
0006709594.tif 000008
【図８】
0006709594.tif 000009